(57)【要約】  作物に関する作業において過去の作業内容を参考にする仕組みを提供すること。  作業内容記録部（１０１）は、入力された作業内容等を記録する。指標算出部（１０３）は、取得された作物領域の画像に基づいてその画像に写る作物の生育状況を表す指標を算出する。指標マップ生成部（１０４）は、算出された指標（ＮＤＶＩ）に基づいて圃場の作物の生育状況を示す指標マップを生成する。生育情報記録部（１０５）は、生成された指標マップ等を生育情報として記録する。類似度算出部（１０７）は、指定された圃場（作業者が作業を行う圃場）とそれ以外の圃場との指標の時系列変化の類似度を示す値を算出する。作業内容抽出部（１０６）は、算出された値が示す類似度が所定レベル以上となる作物領域に関して行われた作業内容を抽出する。
2019208538.tif 000002
【特許請求の範囲】
【請求項１】
少なくとも１の作物領域に対するセンサの測定値に基づいて算出される作物の生育状況を表す指標及び当該測定値の測定時期を対応付けて記録する指標記録部と、
前記少なくとも１の作物領域に関して行われた少なくとも１の作業内容及び作業時期を対応付けて記録する作業記録部と、
前記指標記録部に前記指標が記録されている前記少なくとも１の作物領域のうちの、指定された作物領域と前記指標の時系列変化の類似度が所定レベル以上の作物領域に関して行われた作業内容を前記作業記録部に記録されている前記少なくとも１の作業内容から抽出する抽出部と
を備える情報処理装置。
【請求項２】
前記抽出部は、生育開始からの経過期間、作業履歴又は生育中の作物の種類が前記指定された作物領域と共通する作物領域について前記作業記録部に記録されている作業内容を他の作業内容よりも優先度を上げて抽出する
請求項１に記載の情報処理装置。
【請求項３】
前記抽出部は、収量が多かった作物領域での作業内容ほど優先度を上げて抽出する
請求項１又は２に記載の情報処理装置。
【請求項４】
前記抽出部は、前記指定された作物領域の現在の時期に対応する時期からの生育の進み具合が大きい作物領域での作業内容ほど優先度を上げて抽出する
請求項１から３のいずれか１項に記載の情報処理装置。
【請求項５】
前記センサは、飛行体に設けられたイメージセンサであり、
前記指標は、前記飛行体が前記少なくとも１の作物領域の上空を飛行して撮影された画像に基づき算出され、
前記抽出部は、前記指標の精度が高くなる撮影条件で撮影された作物領域での作業内容ほど優先順位を上げて抽出する
請求項１から４のいずれか１項に記載の情報処理装置。
【請求項６】
前記撮影条件は、撮影時の飛行体の高度、日射強度の大きさ又は撮影時の露出量であり、
前記抽出部は、前記高度が低いほど、日射強度が大きい天気であるほど又は前記露出量が適正値に近いほど前記指標の精度が高くなる撮影条件と判断する
請求項５に記載の情報処理装置。
【請求項７】
前記少なくとも１の作物領域の気象条件を示す情報を記録する条件記録部を備え、
前記抽出部は、記録された前記情報が示す気象条件が前記指定された作物領域の気象条件に近い作物領域での作業内容ほど優先度を上げて抽出する
請求項１から６のいずれか１項に記載の情報処理装置。
【請求項８】
前記作業記録部に記録されている前記少なくとも１の作物領域への作業を行う第１作業者と前記指定された作物領域への作業を行う第２作業者との関係を表す関係情報を記録する関係記録部を備え、
前記抽出部は、所定の関係を表す前記関係情報が記録されている前記第１作業者の作業内容を当該関係情報が記録されていない他の作業者の作業内容よりも優先度を高くして抽出する
請求項１から７のいずれか１項に記載の情報処理装置。
【請求項９】
前記抽出部により抽出された前記作業内容に含まれる作業用の数値から代表値を算出し、当該代表値により表される作業内容を前記指定された作物領域の作業者に通知する第１通知部を備える
請求項１から８のいずれか１項に記載の情報処理装置。
【請求項１０】
作業者が定めた作業内容の通知の可否を示す可否情報を取得する可否取得部と、
前記抽出部により抽出された１以上の作業内容のうち通知可能であることを示す前記可否情報が取得された作業内容を前記指定された作物領域の作業者に通知する第２通知部を備える
請求項１から９のいずれか１項に記載の情報処理装置。
【発明の詳細な説明】
【技術分野】
【０００１】
本発明は、作物に関する作業の内容の決定を支援する技術に関する。
【背景技術】
【０００２】
作物に関する作業の内容の決定を支援する技術が知られている。特許文献１には、作物を撮影した画像データから算出される換算葉色値等の観察されるデータに基づいて、肥料の量の決定等の施肥管理やその他の農作業を含む肥培管理を支援する技術が開示されている。
【先行技術文献】
【特許文献】
【０００３】
【特許文献１】特開２０１７−１２５７０５号公報
【発明の概要】
【発明が解決しようとする課題】
【０００４】
作物に関する作業を行う際には、過去の作業内容（他人が行ったものでも自分が行ったものでもよい）を参考にできると便利である。しかし、特許文献１の技術では、作業者が作業を行う圃場に関する情報（観察されるデータ）を参考にすることはできるが、過去の作業内容を参考にすることは考慮されていない。
そこで、本発明は、作物に関する作業において過去の作業内容を参考にする仕組みを提供することを目的とする。
【課題を解決するための手段】
【０００５】
上記目的を達成するために、本発明は、少なくとも１の作物領域に対するセンサの測定値に基づいて算出される作物の生育状況を表す指標及び当該測定値の測定時期を対応付けて記録する指標記録部と、前記少なくとも１の作物領域に関して行われた少なくとも１の作業内容及び作業時期を対応付けて記録する作業記録部と、前記指標記録部に前記指標が記録されている前記少なくとも１の作物領域のうちの、指定された作物領域と前記指標の時系列変化の類似度が所定レベル以上の作物領域に関して行われた作業内容を前記作業記録部に記録されている前記少なくとも１の作業内容から抽出する抽出部とを備える情報処理装置を提供する。
【発明の効果】
【０００６】
本発明によれば、作物に関する作業において過去の作業内容を参考にする仕組みを提供することができる。
【図面の簡単な説明】
【０００７】
【図１】実施例に係る農業支援システムの全体構成を表す図
【図２】サーバ装置のハードウェア構成を表す図
【図３】ドローンのハードウェア構成を表す図
【図４】農業支援システムが実現する機能構成を表す図
【図５】記録された作業内容の一例を表す図
【図６】圃場の撮影方法の一例を表す図
【図７】画素単位のＮＤＶＩマップの一例を表す図
【図８】領域単位のＮＤＶＩマップの一例を表す図
【図９】ＮＤＶＩの時系列変化の一例を表す図
【図１０】表示された作業内容の一例を表す図
【図１１】作業内容記録処理における各装置の動作手順の一例を表す図
【図１２】生育情報記録処理における各装置の動作手順の一例を表す図
【図１３】提示処理における各装置の動作手順の一例を表す図
【図１４Ａ】抽出された作業内容の一例を表す図
【図１４Ｂ】抽出された作業内容の一例を表す図
【図１４Ｃ】抽出された作業内容の一例を表す図
【図１４Ｄ】抽出された作業内容の一例を表す図
【図１５】記録された収穫量の一例を表す図
【図１６】補正係数の一例を表す図
【図１７】変形例のＮＤＶＩの時系列変化の一例を表す図
【図１８】変形例の補正テーブルの一例を表す図
【図１９Ａ】変形例の補正テーブルの一例を表す図
【図１９Ｂ】変形例の補正テーブルの一例を表す図
【図２０Ａ】変形例の補正テーブルの一例を表す図
【図２０Ｂ】変形例の補正テーブルの一例を表す図
【図２１】変形例の補正テーブルの一例を表す図
【図２２】変形例で表示された作業内容の一例を表す図
【発明を実施するための形態】
【０００８】
（１）実施例
図１は実施例に係る農業支援システム１の全体構成を表す。農業支援システム１は、作物の生育状況を表す指標を活用して、圃場（稲、野菜及び果物等の作物を生育する場所）での作業を行う者を支援するシステムである。生育状況を表す指標とは、作物の生育段階の進み具合（例えば収穫に適した時期か否か）と、サイズ及び病気の有無等の状況（活性度ともいう）との一方又は両方を表す指標である。
【０００９】
本実施例では、後述するＮＤＶＩ（Normalized Difference Vegetation Index：正規化差植生指数）が用いられ、飛行体によって上空から撮影された圃場の画像を用いてその圃場の作物の生育状況を表す指標が算出される。飛行体は圃場を撮影可能であれば何でもよく、本実施例ではドローンが用いられる。農業支援システム１は、ネットワーク２と、サーバ装置１０と、ドローン２０と、ユーザ端末３０とを備える。
【００１０】
ネットワーク２は、移動体通信網及びインターネット等を含む通信システムであり、自システムにアクセスする装置同士のデータのやり取りを中継する。ネットワーク２には、サーバ装置１０が有線通信で（無線通信でもよい）アクセスしており、ドローン２０及びユーザ端末３０が無線通信（ユーザ端末３０は有線通信でもよい）でアクセスしている。
【００１１】
ユーザ端末３０は、本システムのユーザ（例えば圃場で作業を行う作業者）が利用する端末であり、例えばスマートフォン、ノートパソコン又はタブレット端末等である。ドローン２０は、本実施例では、１以上の回転翼を備え、それらの回転翼を回転させて飛行する回転翼機型の飛行体である。ドローン２０は、飛行しながら上空から圃場を撮影する撮影機能を備えている。ドローン２０は、例えば作業者によって圃場まで持ち運ばれ、撮影飛行開始の操作が行われることで飛行及び撮影を行う。
【００１２】
サーバ装置１０は、作業者の支援に関する処理を行う情報処理装置である。サーバ装置１０は、例えば、ドローン２０により撮影された圃場の映像から前述したＮＤＶＩを算出する処理を行う。ＮＤＶＩは、植物の緑葉が赤色の可視光を多く吸収して近赤外領域の波長（０．７μｍ〜２．５μｍ）の光を多く反射するという性質を利用して作物の生育状況を数値で表す。
【００１３】
サーバ装置１０は、算出したＮＤＶＩに基づいて作物の生育状況を表す生育情報を記録すると共に、作業者が行った作業内容を記録する。この作業内容は、例えばユーザ端末３０に作業者が入力することで記録される。サーバ装置１０は、記録したこれらの情報から、作業者が作業を行う圃場と作物の生育状況が似ていた圃場における過去の作業内容を抽出し、作業者に提示する。作業者は、提示された作業内容を参考にして、自分が作業を行う圃場の作物への散水、肥料散布及び農薬散布等のタイミングを判断することができる。
【００１４】
図２はサーバ装置１０及びユーザ端末３０のハードウェア構成を表す。サーバ装置１０及びユーザ端末３０は、いずれも、プロセッサ１１と、メモリ１２と、ストレージ１３と、通信装置１４と、入力装置１５と、出力装置１６と、バス１７という各装置を備えるコンピュータである。なお、ここでいう「装置」という文言は、回路、デバイス及びユニット等に読み替えることができる。また、各装置は、１つ又は複数含まれていてもよいし、一部の装置が含まれていなくてもよい。
【００１５】
プロセッサ１１は、例えば、オペレーティングシステムを動作させてコンピュータ全体を制御する。プロセッサ１１は、周辺装置とのインターフェース、制御装置、演算装置、レジスタなどを含む中央処理装置（ＣＰＵ：Central Processing Unit）で構成されてもよい。また、プロセッサ１１は、プログラム（プログラムコード）、ソフトウェアモジュール及びデータ等を、ストレージ１３及び／又は通信装置１４からメモリ１２に読み出し、これらに従って各種の処理を実行する。
【００１６】
各種処理を実行するプロセッサ１１は１つでもよいし、２以上であってもよく、２以上のプロセッサ１１は、同時又は逐次に各種処理を実行してもよい。また、プロセッサ１１は、１以上のチップで実装されてもよい。プログラムは、電気通信回線を介してネットワークから送信されてもよい。
【００１７】
メモリ１２は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）及びＲＡＭ（Random Access Memory）等の少なくとも１つで構成されてもよい。メモリ１２は、レジスタ、キャッシュ及びメインメモリ（主記憶装置）等と呼ばれてもよい。メモリ１２は、前述したプログラム（プログラムコード）、ソフトウェアモジュール及びデータ等を保存することができる。
【００１８】
ストレージ１３は、コンピュータが読み取り可能な記録媒体であり、例えば、ＣＤ−ＲＯＭ（Compact Disc ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。
【００１９】
ストレージ１３は、補助記憶装置と呼ばれてもよい。上述の記憶媒体は、例えば、メモリ１２及び／又はストレージ１３を含むデータベース、サーバその他の適切な媒体であってもよい。通信装置１４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。
【００２０】
入力装置１５は、外部からの入力を受け付ける入力デバイス（例えば、キーボード、マウス、マイクロフォン、スイッチ、ボタン、センサなど）である。出力装置１６は、外部への出力を実施する出力デバイス（例えば、ディスプレイ、スピーカなど）である。なお、入力装置１５及び出力装置１６は、一体となった構成（例えば、タッチスクリーン）であってもよい。また、プロセッサ１１及びメモリ１２等の各装置は、情報を通信するためのバス１７を介して互いにアクセス可能となっている。バス１７は、単一のバスで構成されてもよいし、装置間で異なるバスで構成されてもよい。
【００２１】
図３はドローン２０のハードウェア構成を表す。ドローン２０は、プロセッサ２１と、メモリ２２と、ストレージ２３と、通信装置２４と、飛行装置２５と、センサ装置２６と、撮影装置２７と、バス２８という各装置を備えるコンピュータである。なお、ここでいう「装置」という文言は、回路、デバイス及びユニット等に読み替えることができる。また、各装置は、１つ又は複数含まれていてもよいし、一部の装置が含まれていなくてもよい。
【００２２】
プロセッサ２１、メモリ２２、ストレージ２３、通信装置２４及びバス２８は、図２に表す同名の装置と同種のハードウェア（性能及び仕様等は同じとは限らない）である。通信装置２４は、ネットワーク２との無線通信に加え、ドローン同士の無線通信を行うこともできる。飛行装置２５は、モータ及びローター等を備え、自機を飛行させる装置である。飛行装置２５は、空中において、あらゆる方向に自機を移動させたり、自機を静止（ホバリング）させたりすることができる。
【００２３】
センサ装置２６は、飛行制御に必要な情報を取得するセンサ群を有する装置である。センサ装置２６は、自機の位置（緯度及び経度）を測定する位置センサと、自機が向いている方向（ドローンには自機の正面方向が定められており、その正面方向が向いている方向）を測定する方向センサと、自機の高度を測定する高度センサと、自機の速度を測定する速度センサと、３軸の角速度及び３方向の加速度を測定する慣性計測センサ（ＩＭＵ（Inertial Measurement Unit））とを備える。
【００２４】
撮影装置２７は、レンズ２７１及びイメージセンサ２７２等を有し、イメージセンサ２７２で撮影した画像をデジタルデータで記録するいわゆるデジタルカメラである。このイメージセンサ２７２は、可視光に加えて、ＮＤＶＩの算出に必要な近赤外領域の波長の光にも感度を有する。撮影装置２７は、自機（ドローン２０）の筐体の下部に取り付けられ、撮影方向が固定されており、自機の飛行中に鉛直下方を撮影する。
【００２５】
なお、サーバ装置１０及びドローン２０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、及び、ＦＰＧＡ（Field Programmable Gate Array）等のハードウェアを含んで構成されてもよく、当該ハードウェアにより、各機能ブロックの一部又は全てが実現されてもよい。例えば、プロセッサ１１は、これらのハードウェアの少なくとも１つで実装されてもよい。
【００２６】
農業支援システム１が備えるサーバ装置１０及びドローン２０には、本システムで提供されるプログラムが記憶されており、各装置のプロセッサがプログラムを実行して各部を制御することで以下に述べる機能群が実現される。
図４は農業支援システム１が実現する機能構成を表す。サーバ装置１０は、作業内容記録部１０１と、作物画像取得部１０２と、指標算出部１０３と、指標マップ生成部１０４と、生育情報記録部１０５と、作業内容抽出部１０６と、類似度算出部１０７と、グラフ記憶部１０８とを備える。
【００２７】
ドローン２０は、飛行制御部２０１と、飛行部２０２と、センサ測定部２０３と、撮影部２０４とを備える。ユーザ端末３０は、入力受付部３０１と、作業内容表示部３０２とを備える。入力受付部３０１は、圃場で生育する作物に関して行われる作業内容等の入力を受け付ける。作業者は、圃場での作業を行う前又は行った後に、ユーザ端末３０を操作して作業を行う圃場を識別する情報（例えば圃場ＩＤ（Identification））と、圃場で生育している作物の名称と、作業内容及び作業日時とを入力する。
【００２８】
作業内容とは、例えば、散水、肥料散布及び農薬散布等の作業項目と、散水量（散水時間）、肥料の量、農薬の量、散布位置及び散布時間帯等の作業詳細と、作業で用いる農具及び農作業用機械等の機器情報とのうち少なくとも１つ以上を含む情報である。なお、これらの入力内容は毎回全て入力する必要はなく前回と同じものは入力を不要にしてもよい。また、選択肢から選べるようにして入力の手間を軽減してもよい。
【００２９】
本実施例では、１つの圃場では基本的に１つの種類の作物を育てているものとする。ただし、１つの圃場で同時に異なる種類の複数の作物を育てている場合があってもよい。その場合は、例えば作物が共通する領域を１つの圃場として扱い、それらの圃場毎に圃場ＩＤが定められればよい。作物が異なれば作業内容も異なるから、作業者は、作物毎（圃場毎）に作業内容を入力する。入力受付部３０１は、入力された圃場ＩＤ、作物名称、作業内容及び作業日時を示す入力データをサーバ装置１０に送信する。
【００３０】
サーバ装置１０の作業内容記録部１０１は、送信されてきた入力データが示す圃場ＩＤ、作物名称、作業内容、作業日時及び作業者ＩＤを互いに対応付けて記録する。これらを記録することで、作業内容記録部１０１は、圃場ＩＤが示す圃場の作物領域に関して行われた作業内容及び作業時期（作業日時によって示される）を対応付けて記録する。作業内容記録部１０１は本発明の「作業記録部」の一例である。
【００３１】
図５は記録された作業内容の一例を表す。図５の例では、作業内容記録部１０１は、圃場ＩＤ、作物名称、作業日時、作業項目、作業詳細、機器情報をそれぞれ対応付けて記録している。例えば「ＨＡ０１」という圃場ＩＤには、「トウモロコシ」を育てたときの作業内容が記録され、「ＨＡ０２」という圃場ＩＤには、「稲」を育てたときの作業内容が記録されている。なお、「トウモロコシ」の作物名称を分けているのは、生育期間が異なっていることを表している（１つ目の「トウモロコシ」は２０１７年の作業内容に、２つ目の「トウモロコシ」は２０１６年の作業内容に対応付けられている）。
【００３２】
ここまでは作業内容を記録する記録処理に関する機能及び動作について説明した。記録処理は、作業者が作業内容を入力する度に行われる。作業内容の入力は作業の度に行われることが望ましいが、作業日時が対応付けられていて作業時期が分かるようになっていれば、複数回の作業内容がまとめて入力されてもよい。その場合は、複数回の作業内容を記録する記録処理が行われる。
【００３３】
一方、ドローン２０による圃場の撮影は、毎日行われる必要はないが、数日から１週間に一度程度行われることが望ましい。作業者は、そのくらいの頻度で圃場にドローン２０を持ち込んで撮影飛行開始の操作を行う。ドローン２０の飛行制御部２０１は、自機の飛行を制御する機能であり、例えば、この撮影飛行開始の操作が行われると、飛行制御を開始する。
【００３４】
飛行制御部２０１は、例えば、作業者がユーザ端末３０等を用いて予め登録した圃場の地理的な範囲を示す圃場範囲情報（例えば圃場の外縁を示す緯度及び経度の情報）を記憶しておき、その圃場範囲情報に基づいて、圃場全体の上空を一定の高度で飛行する飛行経路で自機を飛行させる制御を行う。この場合の飛行経路は、例えば長方形の圃場であれば、圃場の一方の辺からその辺に対向する他方の辺まで波状の軌跡を描いて飛行する経路である。
【００３５】
他にも、圃場の外縁に沿って飛行して、１周したら内側に経路をずらして渦巻き状の軌跡を描いて飛行する経路であってもよく、要するに圃場の全体を万遍なく飛行する飛行経路であればよい。飛行部２０２は、自機を飛行させる機能であり、本実施例では、飛行装置２５が備えるモータ及びローター等を動作させることで自機を飛行させる。センサ測定部２０３は、センサ装置２６が備える各センサ（位置センサ、方向センサ、高度センサ、速度センサ、慣性計測センサ）による測定を行う。
【００３６】
センサ測定部２０３は、自機の位置、方向、高度、速度、角速度、加速度を所定の時間間隔で繰り返し測定し、測定したそれらの情報を示すセンサ情報を飛行制御部２０１に供給する。飛行制御部２０１は、供給されたセンサ情報に基づいて飛行部２０２を制御し、前述した飛行経路に沿って自機を飛行させる。センサ測定部２０３は、測定した位置、方向、高度及び速度を示すセンサ情報を撮影部２０４に供給する。
【００３７】
撮影部２０４は、撮影装置２７を用いて被写体を撮影する機能である。撮影部２０４は、飛行制御部２０１が上記のとおり圃場の上空を飛行する制御を行っているときには、その圃場を被写体として撮影する。撮影部２０４は、圃場を撮影することで、その圃場において作物が生育している領域も撮影することになる。撮影部２０４により撮影される圃場の領域は本発明の「作物領域」の一例である。
【００３８】
撮影装置２７のイメージセンサ２７２は上記のとおり近赤外領域の波長の光にも感度を有するので、撮影部２０４が撮影した静止画像を形成する各画素は、可視光の赤色を示すピクセル値（Ｒ）と共に、近赤外領域の波長の光を示すピクセル値（ＩＲ）によって表される。撮影部２０４は、供給されたセンサ情報に基づいて、圃場内の全ての領域が含まれるように、複数の静止画像を撮影する。
【００３９】
図６は圃場の撮影方法の一例を表す。図６では、ドローン２０が圃場Ａ１の上空を波状の軌跡を描いて飛行する際の経路Ｂ１が表されている。撮影部２０４は、センサ情報が示す高度及び撮影装置２７の画角から圃場（地上０ｍ地点）の撮影範囲（画角に含まれる圃場の範囲）を算出する。そして、撮影部２０４は、センサ情報が示す速度及び方向から現時点の撮影範囲と前回の撮影範囲とが重複する面積の割合（例えば撮影範囲の面積を１００％とした場合の重複面積のパーセンテージで表す）が閾値未満になったときに次の撮影を行う。
【００４０】
撮影部２０４は、図６の例であれば、最初に撮影領域Ｃ１を撮影し、次に撮影領域Ｃ１と少し重なった撮影領域Ｃ２を撮影する。また、撮影部２０４は、自機（ドローン２０）の折り返しの際に、算出した撮影範囲の大きさを飛行制御部２０１に通知する。飛行制御部２０１は、通知された大きさの撮影範囲が例えば図６の撮影領域Ｃ４及びＣ５のように重複する距離だけ経路をずらして折り返す。
【００４１】
撮影部２０４は、この方法での撮影を繰り返すことで、図６に表す撮影領域Ｃ１からＣ３２までを撮影した静止画像、すなわち、撮影範囲が少しずつ重複した複数の静止画像を撮影する。なお、図６の例では圃場Ａ１が複数の撮影範囲を丁度収められる大きさ及び形になっていたが、そうなっていなくてもよい。その場合は、撮影範囲同士の重複部分を広くしたり、圃場の外部を含めて撮影したりすることで、圃場内の全ての領域がいずれかの静止画像に含まれるようになる。
【００４２】
なお、撮影部２０４による撮影方法はこれに限らない。例えば撮影の際の飛行速度及び飛行高度が決まっていれば、撮影範囲が図６に表すように重複する時間の間隔が予め算出されるので、その時間の間隔で撮影が行われてもよい。また、圃場の地図と撮影位置とが予め決められていれば、撮影部２０４は、その決められた位置を飛行しているときに撮影すればよい。これら以外にも、ドローンを用いて地上を撮影するための周知の方法が用いられてもよい。
【００４３】
ドローン２０が備える各部の動作は、上述した農作業者による撮影飛行開始の操作が行われることで開始される。各部の動作が開始されると、ドローン２０は圃場の上空を設定された飛行経路で飛行し、撮影部２０４は、前述のとおり繰り返し撮影を行う。撮影部２０４は、撮影を行うと、撮影した静止画像と、撮影に関する撮影情報（撮影したときの位置、方位、高度及び時刻と撮影した圃場の圃場ＩＤ（作業者が予め登録しておく）とを示す情報）とを示す画像データを生成してサーバ装置１０に送信する。
【００４４】
サーバ装置１０の作物画像取得部１０２は、送信されてきた画像データを受け取ることで、その画像データが示す静止画像を、ドローン２０が撮影した作物領域の画像として取得する。また、作物画像取得部１０２は、受け取った画像データが示す撮影情報も取得し、取得した静止画像と共に指標算出部１０３に供給する。
【００４５】
指標算出部１０３は、作物画像取得部１０２により取得された作物領域の画像に基づいてその画像に写る作物の生育状況を表す指標を算出する。指標算出部１０３は、上述したＮＤＶＩを、生育状況を表す指標として算出する。指標算出部１０３は、例えば、静止画像の画素毎に、上述した赤色のピクセル値（Ｒ）及び近赤外領域の波長の光のピクセル値（ＩＲ）をＮＤＶＩ＝（ＩＲ−Ｒ）／（ＩＲ＋Ｒ）という式に代入してＮＤＶＩを算出する。
【００４６】
指標算出部１０３は、算出したＮＤＶＩを対応する画素を示す画素ＩＤに対応付けて示す指標情報を生成し、撮影情報と共に指標マップ生成部１０４に供給する。指標情報及び撮影情報は、作物領域の画像が取得される度に、すなわちドローン２０が圃場の画像を撮影する度に供給される。指標マップ生成部１０４は、指標算出部１０３により算出された指標（ＮＤＶＩ）に基づいて圃場の作物の生育状況を示す指標マップを生成する。
【００４７】
指標マップとは、圃場内の各位置又は各領域における指標（ＮＤＶＩ）を地図上で表す情報である。まず、指標マップ生成部１０４は、各画素に対応する圃場上の位置におけるＮＤＶＩを表す画素単位のＮＤＶＩマップを生成する。
図７は画素単位のＮＤＶＩマップの一例を表す。図７の例では、図６に表す圃場Ａ１の画素単位のＮＤＶＩマップＭ１が表されている。
【００４８】
ＮＤＶＩマップＭ１は、左上角の画素Ｄ１と、左下角の画素Ｄ２と、右上角の画素Ｄ３と、右下角の画素Ｄ４とを角に持つ長方形のマップである。画素Ｄ１に表された「０．３」は、図６に表す左上角の撮影領域Ｃ１の画像の左上角の画素におけるＮＤＶＩであり、画素Ｄ２に表された「−０．５」は、図６に表す左下角の撮影領域Ｃ４の画像の左下角の画素におけるＮＤＶＩである。
【００４９】
画素Ｄ４に表された「０．２」は、図６に表す右下角の撮影領域Ｃ２９の画像の右下角の画素におけるＮＤＶＩであり、画素Ｄ３に表された「０．３」は、図６に表す右上角の撮影領域Ｃ３２の画像の右上角の画素におけるＮＤＶＩである。ＮＤＶＩマップＭ１には、隣接する撮影領域の重複部分を示す画素が含まれている。指標マップ生成部１０４は、これらの画素については、各撮影領域を撮影した静止画像からそれぞれ算出されたその画素（圃場Ａ１の同一地点を示す画素）のＮＤＶＩの平均値を用いている。
【００５０】
ＮＤＶＩマップＭ１は、ドローン２０が撮影領域Ｃ３２を撮影して各部が上記動作を行うことで完成する。指標マップ生成部１０４は、本実施例では、こうして生成した画素単位のＮＤＶＩマップＭ１から、圃場Ａ１を区分する複数の領域毎の作物の生育状況を表す領域単位のＮＤＶＩマップを生成する。
図８は領域単位のＮＤＶＩマップの一例を表す。図８に表すＮＤＶＩマップＭ２では、図６に表す撮影領域Ｃ１〜Ｃ３２に対応する区分領域Ｅ１〜Ｅ３２が表されている。
【００５１】
各区分領域は、ＮＤＶＩの平均値の大きさに応じて模様が付けられている。例えば区分領域Ｅ１、Ｅ２及びＥ８等はＮＤＶＩの平均値が０．６以上であることを示す模様が付けられている。同様に、区分領域Ｅ７及びＥ９等はＮＤＶＩの平均値が０．２以上０．６未満であることを示す模様が付けられ、区分領域Ｅ３及びＥ４等はＮＤＶＩの平均値が−０．２以上０．２未満であることを示す模様が付けられている。
【００５２】
指標マップ生成部１０４は、生成した画素単位のＮＤＶＩマップ及び領域単位のＮＤＶＩマップを、これらのマップの元になった画像の撮影情報及び撮影日時に対応付けて生育情報記録部１０５に供給する。生育情報記録部１０５は、作物領域に対するセンサの測定値に基づいて算出される作物の生育状況を表す指標及びその測定値の測定時期を対応付けて、生育情報として記録する。生育情報記録部１０５は本発明の「指標記録部」の一例である。
【００５３】
生育情報記録部１０５は、本実施例では、ドローン２０が撮影した画像が表すピクセル値を撮影装置２７のイメージセンサ２７２の測定値として用いて、それらのピクセル値から算出されたＮＤＶＩを表す指標マップと、撮影日時及び撮影情報とを対応付けて記録することで、生育情報の記録を行う。また、生育情報記録部１０５は、作業内容記録部１０１を参照して、撮影情報が示す圃場ＩＤに対応付けられている作物名称を読み出してその撮影情報に対応付けて、生育情報として記録する。サーバ装置１０には、こうして圃場毎の作業内容と生育情報とが記録されていく。
【００５４】
続いて、作業者が作業を行う圃場と作物の生育状況が似ていた圃場における過去の作業内容を抽出し、作業者に提示する処理に関する機能及び動作を説明する。ユーザは、ユーザ端末３０に対して、自分が作業を行う圃場を指定し、指定した圃場において参考になる過去の作業内容を表示させる表示操作を行う。ユーザ端末３０の作業内容表示部３０２は、この表示操作を受け付けると、ユーザによって指定された圃場（作業者が作業を行う圃場のこと）の圃場ＩＤと作業内容の要求を示す要求データをサーバ装置１０に送信する。
【００５５】
サーバ装置１０の作業内容抽出部１０６は、送信されてきた要求データを受け取ると、要求された作業内容、すなわち、要求データが示す圃場ＩＤの圃場において参考になる過去の作業内容を、作業内容記録部１０１に記録されている作業内容から抽出する。作業内容抽出部１０６は本発明の「抽出部」の一例である。作業内容抽出部１０６は、要求データが示す圃場ＩＤの圃場で現在生育中の作物領域のＮＤＶＩの時系列変化と、その他の作物領域のＮＤＶＩの時系列変化との類似度を示す値の算出を類似度算出部１０７に要求する。
【００５６】
図９はＮＤＶＩの時系列変化の一例を表す。図９では、作物の生育が開始されてから経過した時間を横軸に、ＮＤＶＩを縦軸にしたグラフによってＮＤＶＩの時系列変化が表されている。例えば曲線ＦＡ１１、ＦＡ１２、ＦＡ１３は、圃場Ａ１１、Ａ１２、Ａ１３で過去に算出されたＮＤＶＩの圃場全体の平均値の時系列変化を表している。これらの時系列変化は、圃場における作物の成長曲線を表している。これらの時系列変化は、それぞれ傾き、ピーク（ＮＤＶＩの最大値）及びピークの時期が異なっているが、いずれも同じ作物の成長曲線を表しているものとする。
【００５７】
グラフ記憶部１０８は、図９に表すようなＮＤＶＩの時系列変化を表すグラフを生成して記憶する。グラフ記憶部１０８は、生育情報記録部１０５に記録された生育情報から、同じ圃場の同じ作物の生育開始から終了までのＮＤＶＩマップを読み出し、その作物の各生育段階における圃場全体のＮＤＶＩの平均値を算出する。そして、グラフ記憶部１０８は、例えばスプライン曲線又はベジェ曲線等を用いて図９に表すように滑らかな曲線で時系列変化を表すグラフを生成する。
【００５８】
なお、グラフ記憶部１０８は、撮影日とＮＤＶＩの平均値とを示す点をプロットし、各点を直線で結ぶグラフを生成してもよい。いずれの場合でも、グラフ記憶部１０８は、任意の生育時間に対応するＮＤＶＩを求めることが可能なようにＮＤＶＩが算出されていない期間を補間したグラフを生成する。グラフ記憶部１０８は、こうして生成したグラフを圃場ＩＤ及び生育期間（生育開始日及び収穫日で表される期間）に対応付けて記憶する。
【００５９】
グラフ記憶部１０８は、同じ圃場でも年が変われば別のグラフを生成し、同じ年でも複数回作物を育てる場合はその度に異なるグラフを生成する。また、グラフ記憶部１０８は、上述したように１つの圃場で複数種類の作物が育てられる場合には、作物が共通する領域を１つの圃場として扱い、それらの圃場毎にグラフを生成する。グラフ記憶部１０８は、定期的に又は生育情報記録部１０５に生育情報が記録される度にグラフを生成及び更新して、常に最新のグラフを記憶する。
【００６０】
類似度算出部１０７は、前述のとおりユーザによって指定された圃場（作業者が作業を行う圃場）とそれ以外の圃場との指標の時系列変化の類似度を示す値を算出する。類似度算出部１０７は、まず、指定された圃場の圃場ＩＤに対応付けられ且つ作物が生育途中のグラフ（生育が終了していれば作業内容を参考にする必要がないため）をグラフ記憶部１０８から読み出す。図９には、このとき読み出されるグラフの曲線ＦＡ１が表されている。曲線ＦＡ１は、圃場Ａ１で現在生育中の作物についての５０日間のＮＤＶＩの時系列変化を表している。
【００６１】
類似度算出部１０７は、例えば、指定された圃場のグラフと、比較相手のグラフとについて１日毎のＮＤＶＩの補間値を算出し、それらの差分の平均値を、類似度を示す値として算出する。この場合、値が小さいほど類似度が高いことを表す。なお、この方法に限らず、その他のグラフの類似度を評価する周知の技術が用いられてもよい。類似度算出部１０７は、いずれかの方法を用いて、グラフ記憶部１０８に記憶されている全てのグラフについて類似度の値（類似度を示す値）を算出する。
【００６２】
類似度算出部１０７は、こうして算出した類似度の値を、比較相手のグラフの圃場ＩＤ及び生育期間に対応付けて作業内容抽出部１０６に供給する。作業内容抽出部１０６は、供給された類似度の値のうち閾値未満の類似度の値に対応付けられている圃場ＩＤ及び生育期間を特定する。例えば図９の例であれば、曲線ＦＡ１と曲線ＦＡ１２との類似度の値は閾値未満であり、曲線ＦＡ１と曲線ＦＡ１１及びＦＡ１３との類似度の値は閾値以上になるとする。
【００６３】
その場合、作業内容抽出部１０６は、圃場Ａ１２の圃場ＩＤ及び曲線ＦＡ１２の元になる画像が撮影された時期に該当する生育期間を特定する。こうして特定された圃場ＩＤ及び生育期間は、指定された圃場で生育している作物とＮＤＶＩの時系列変化が似ている圃場とその圃場で生育した作物の生育期間とを表している。
【００６４】
作業内容抽出部１０６は、作業内容記録部１０１を参照し、特定した圃場ＩＤと、特定した生育期間に含まれる作業日時とに対応付けられた情報（作業名称、作業項目、作業詳細、機器情報）を抽出する。このように、作業内容抽出部１０６は、まず、生育情報記録部１０５に指標（ＮＤＶＩ）が記録されている作物領域のうちから、ユーザによって指定された圃場の作物領域と指標の時系列変化の類似度が所定レベル以上（類似度の値が閾値未満）となる作物領域を特定する。
【００６５】
そして、作業内容抽出部１０６は、作業内容記録部１０１に記録されている作業内容から、特定した作物領域に関して行われた作業内容を抽出する。作業内容抽出部１０６は、こうして抽出した作業内容と、特定した圃場ＩＤが示す圃場の名称及び生育期間とを示す応答データをユーザ端末３０に送信する。作業内容抽出部１０６は、例えば、生育期間における全ての作業内容と、指定された圃場の現在までの生育時間（図９の例では５０日間）とを示す応答データを送信する。
【００６６】
作業内容表示部３０２は、送信されてきた応答データが示す情報を、要求した作業内容として表示する。
図１０は表示された作業内容の一例を表す。図１０の例では、作業内容表示部３０２は、「作業計画参考画面」に、「以下の作業内容が参考になりそうです。」という文字列と、「ＢＢ」という圃場で「トウモロコシ」を育てる際に行われた２０１７年及び２０１５年の作業内容と、「ＣＣ」という圃場で「トウモロコシ」を育てる際に行われた２０１７年の作業内容とが表示されている。作業内容表示部３０２は、応答データが示す生育時間（図９の例では５０日間）の前後に行われた作業内容を表示している。
【００６７】
このようにして、作業内容抽出部１０６は、指定された作物領域の作業者に、抽出した作業内容（特にその作物領域の現在の生育状況に近い生育状況である時期に行われた作業内容）を通知する。これにより作業者は、現在の生育状況での作業内容を決めるにあたり、表示された作業内容、すなわち似た生育状況の作物に対して過去に行われた作業内容を参考にすることができる。なお、作業内容表示部３０２は、図１０の例では応答データが示す情報の一部を表示しているが、ユーザの操作によりその他の情報（これまでの作業内容及びこれからの作業内容等）を表示してもよい。
【００６８】
農業支援システム１が備える各装置は、上記の構成に基づいて、作業内容を記録する作業内容記録処理、生育情報を記録する生育情報記録処理、作業の参考になる作業内容をユーザに提示する提示処理を行う。
図１１は作業内容記録処理における各装置の動作手順の一例を表す。この動作手順は、ユーザにより作業内容の入力が行われることを契機に開始される。
【００６９】
まず、ユーザ端末３０（入力受付部３０１）は、圃場で生育する作物に関して行われる作業内容等の入力を受け付け（ステップＳ１１）、入力された内容を示す入力データをサーバ装置１０に送信する（ステップＳ１２）。サーバ装置１０（作業内容記録部１０１）は、送信されてきた入力データが示す作業内容等を記録する（ステップＳ１３）。
【００７０】
図１２は生育情報記録処理における各装置の動作手順の一例を表す。この動作手順は、ユーザによりドローン２０の撮影飛行開始の操作が行われることを契機に開始される。まず、ドローン２０（飛行制御部２０１、飛行部２０２及びセンサ測定部２０３）は、記憶している圃場範囲情報に基づき圃場上空での飛行を開始する（ステップＳ２１）。次に、ドローン２０（撮影部２０４）は、圃場上空からの各撮影領域の撮影を開始する（ステップＳ２２）。
【００７１】
ドローン２０（撮影部２０４）は、撮影を行う度に、撮影した静止画像と、撮影情報（撮影したときの位置、方位及び高度を示す情報）とを示す画像データを生成してサーバ装置１０に送信する（ステップＳ２３）。サーバ装置１０（作物画像取得部１０２）は、送信されてきた画像データが示す静止画像を作物領域の画像として取得する（ステップＳ２４）。次に、サーバ装置１０（指標算出部１０３）は、取得された作物領域の画像に基づいてその画像に写る作物の生育状況を表す指標（ＮＤＶＩ）を算出する（ステップＳ２５）。
【００７２】
続いて、サーバ装置１０（指標マップ生成部１０４）は、算出された指標に基づいて圃場の作物の生育状況を示す指標マップを生成する（ステップＳ２６）。次に、サーバ装置１０（生育情報記録部１０５）は、生成された指標マップを生育情報として記録する（ステップＳ２７）。そして、サーバ装置１０（グラフ記憶部１０８）は、記録された生育情報に基づいて、ＮＤＶＩの時系列変化を表すグラフを生成して記憶する（ステップＳ２８）。
【００７３】
図１３は提示処理における各装置の動作手順の一例を表す。この動作手順は、ユーザによりドローン２０の撮影飛行開始の操作が行われることを契機に開始される。まず、ユーザ端末３０（作業内容表示部３０２）は、ユーザによって指定された圃場について参考になる過去の作業内容を表示させる表示操作を受け付け（ステップＳ３１）、作業内容の要求を示す要求データをサーバ装置１０に送信する（ステップＳ３２）。要求データを受け取ると、サーバ装置１０（類似度算出部１０７）は、指定された圃場とそれ以外の圃場との指標の時系列変化の類似度の値を算出する（ステップＳ３３）。
【００７４】
次に、サーバ装置１０（作業内容抽出部１０６）は、類似度が所定レベル以上となる作物領域に関して行われた作業内容を抽出する（ステップＳ３４）。そして、サーバ装置１０（作業内容抽出部１０６）は、抽出した作業内容等を示す応答データを生成し（ステップＳ３５）、その応答データをユーザ端末３０に送信する（ステップＳ３６）。ユーザ端末３０（作業内容表示部３０２）は、送信されてきた応答データが示す作業内容を表示する（ステップＳ３７）。
【００７５】
本実施例では、上記のとおりサーバ装置１０に記録された過去の作業内容から、指定された圃場と作物の生育状況が似ている圃場において過去に行われた作業内容が抽出されてユーザに提示される。このように、本実施例によれば、作物に関する作業において過去の作業内容を参考にする仕組みを提供することができる。また、例えば同じ生育状況でも、早くから生育したがしばらく成長が停滞している作物と、最近急に成長した作物とでは、必要とされる作業が異なっている可能性が高い。
【００７６】
本実施例では、上記のとおり、作物の生育状況が似ている圃場の作業内容を抽出する際に、現時点での生育状況だけなく、生育が開始してから現時点までの成長曲線が似た圃場の作業内容が抽出される。これにより、現時点での生育状況だけが似ている圃場の作業内容を抽出する場合に比べて、より必要とされる作業が似ている可能性が高い圃場で行われた作業内容をユーザに提示することができる。
【００７７】
（２）変形例
上述した実施例は本発明の実施の一例に過ぎず、以下のように変形させてもよい。また、実施例及び各変形例は必要に応じてそれぞれ組み合わせてもよい。その際は、各変形例について優先順位を付けて（各変形例を実施すると競合する事象が生じる場合にどちらを優先するかを決める順位付けをして）実施してもよい。
【００７８】
（２−１）抽出における優先度付け
作業内容抽出部１０６は、作業内容を抽出する際に、優先度を付けて抽出を行ってもよい。優先度付けをした抽出の方法には大きく分けて２通りある。１つ目は、抽出方法自体は変えずに、抽出された作業内容に優先順位（優先度が高いものほど優先順位が高い）を付ける方法である。これを優先順位付け抽出方法という。
【００７９】
この優先順位付け抽出方法を用いれば、ユーザに提示する際に例えば優先度が高いものから順番に並べて表示して、類似度が所定レベル以上の作物領域に関して行われた作業内容の中でもどの作業内容がより参考になるのかをユーザに伝えることができる。２つ目は、作業内容の優先度によって類似度（類似度の値）自体を補正する方法である。これを優先度補正抽出方法という。
【００８０】
この優先度補正抽出方法を用いると、例えば実施例で述べた差分の平均値が閾値以上であっても、優先度が高い作業内容については差分の平均値が小さく補正されて閾値未満になる、つまり抽出されるようになる場合がある。反対に、差分の平均値が閾値未満であっても、優先度が低い作業内容については差分の平均値が大きく補正されて閾値以上になる、つまり抽出されなくなる場合がある。以下では具体例を挙げながら各方法について説明する。
【００８１】
作業内容抽出部１０６は、例えば、生育中の作物の種類がユーザによって指定された作物領域と共通する作物領域への作業内容（その作業領域について作業内容記録部１０１に記録されている作業内容）を他の作業内容よりも優先度を上げて抽出する。図１０の例では、同じ作物（トウモロコシ）の圃場の作業内容が抽出されているが、指定された圃場と成長曲線が似ていれば他の作物の圃場の作業内容が抽出される場合もある。
【００８２】
図１４Ａ〜１４Ｄは抽出された作業内容の一例を表す。図１４Ａ〜１４Ｄの例では、圃場ＢＢ、ＤＤ、ＥＥ、ＧＧで「トウモロコシ」を育てる際に行われた作業内容と、圃場ＣＣで「モロコシ」を育てる際に行われた作業内容と、圃場ＦＦで「大麦」を育てる際に行われた作業内容とが類似度の値が閾値未満（１．５未満）であり類似度が所定レベル以上と判断されて抽出されている。
【００８３】
図１４Ａでは、作業内容抽出部１０６が、優先順位付け抽出方法を用いて、算出された類似度の値が小さい（実施例と同様に値が小さいほど類似度が高いものとする）方から順番に各圃場の作業内容の優先順位を定めている。ここで、指定された圃場の作物の種類が「トウモロコシ」であるものとする。その場合、作業内容抽出部１０６は、例えば図１４Ｂに表すように、指定された圃場と作物の種類が同じ全ての圃場の優先順位を作物の種類が異なる他の圃場よりも高くして定めている。
【００８４】
なお、作業内容抽出部１０６は、「トウモロコシ」の圃場同士では類似度が高い方から順番に優先順位を定め、それ以外の作物の圃場同士でも類似度が高い方から順番に優先順位を定めている。また、作業内容抽出部１０６は、図１４Ｃに表すように、指定された圃場と作物の種類が同じ圃場の類似度の値を補正（この例では０．８倍に補正）した上で優先順位を定めてもよい。その結果、「トウモロコシ」の圃場の作業内容は優先順位がそれぞれ上がっている。
【００８５】
また、作業内容抽出部１０６は、図１４Ｄに表すように、さらに優先度補正抽出方法を用いて、指定された圃場と作物の種類が同じ圃場の類似度の値を補正（この例では０．８倍に補正）した上で類似度が所定レベル以上であるか否かを判断してもよい。図１４Ｄの例では、補正前の類似度の値が１．６（補正後は１．２８）だった圃場ＨＨと、補正前の類似度の値が１．８（補正後は１．４４）だった圃場ＩＩの作業内容が新たに抽出されている。以上のとおり優先度を用いることで、指定された圃場と同じ作物が育てられている圃場での作業内容がそれ以外の圃場での作業内容よりも参考にされやすいようにすることができる。
【００８６】
（２−２）作業履歴
上記変形例では優先度を決める条件として作物の種類が用いられたが、これに限らない。作業内容抽出部１０６は、例えば、作業履歴がユーザによって指定された作物領域と共通する作物領域への作業内容を他の作業内容よりも優先度を上げて抽出してもよい。作業内容抽出部１０６は、例えば図９の曲線ＦＡ１が成長曲線を表す圃場Ａ１が指定された場合、５０日目までの作業履歴を比較する。
【００８７】
作業内容抽出部１０６は、例えば各作業項目の作業回数（散水回数、肥料散布回数及び農薬散布回数等）の差分の平均値が閾値未満である場合に作業履歴が共通すると判断する。なお、作業回数の代わりに又はそれに加えて、作業詳細（散水量（散水時間）、肥料の量、農薬の量、散布位置及び散布時間帯等）の差分を考慮してもよい（全ての差分を合算して平均値を算出する等）。また、機器情報（農具及び農作業用機械等）が共通しているか否かを考慮してもよい。
【００８８】
いずれの場合も、作業内容抽出部１０６は、作業履歴が全て完璧に一致していなくても、それらの差分及び相違点が所定の基準未満であれば作業履歴が共通すると判断する。作業内容抽出部１０６は、共通する作業履歴の圃場を判断すると、後は上記変形例と同様に優先順位付け抽出方法及び優先度補正抽出方法の少なくとも一方を用いて作業履歴を抽出する。これにより、指定された圃場と作業履歴が共通する圃場での作業内容がそれ以外の圃場での作業内容よりも参考にされやすいようにすることができる。
【００８９】
（２−３）類似度を示す値の算出方法
類似度を示す値の算出方法は実施例で述べた方法に限らない。類似度算出部１０７は、例えば実施例ではユーザによって指定された圃場の現時点での生育期間が５０日間であれば、他の時系列変化についても生育開始から５０日間の時系列変化を比較したが、比較する期間を変動させてもよい。類似度算出部１０７は、例えば生育開始を比較期間の開始としなくてもよい。
【００９０】
具体的には、例えば１１日目から６０日目までの５０日間の時系列変化を比較してもよい。これは、例えば最初の１０日間の気温及び降水量等の環境が生育に厳しい状況で、１０日目を過ぎてから実質的な生育が開始されたような場合に、その作業内容を参考にすることができる。また、類似度算出部１０７は、長さが異なる期間同士を比較してもよい。具体的には、１日目から６０日目までの６０日間の時系列変化を５０日間の時系列変化に変換してから比較してもよい。
【００９１】
これは、上記環境が低調で通常なら５０日間で成長するところ６０日間要するような場合における作業内容を参考にすることができる。これらの比較方法を用いる場合、類似度算出部１０７は、類似度が最も高くなる比較期間の開始日又は比較期間を用いて類似度の値を算出する。これにより、比較期間が固定されている場合に比べて、気温及び降水量等の環境が異なる期間に生育した作物に対する作業内容でも参考にされやすいようにすることができる。
【００９２】
（２−４）経過期間
上記変形例のように比較する期間を変動させて類似度の値を算出する場合に、作業内容抽出部１０６は、生育開始からの経過期間がユーザによって指定された作物領域と共通する作物領域への作業内容を他の作業内容よりも優先度を上げて抽出してもよい。この場合、作業内容抽出部１０６は、比較期間を変動させずに類似度の値が算出されて且つその値が示す類似度が所定レベル以上となる圃場（作物領域）については、生育開始からの経過期間が指定された作物領域と共通すると判断する。
【００９３】
後は、作業内容抽出部１０６は、上記変形例と同様に優先順位付け抽出方法及び優先度補正抽出方法の少なくとも一方を用いて作業履歴を抽出する。これにより、比較期間が固定されている場合に比べて気温及び降水量等の環境が異なる期間に生育した作物に対する作業内容でも参考にされやすいようにしつつ、指定された圃場における作物の生育期間と共通の生育期間における成長曲線の類似度が高い圃場での作業内容がそれ以外の圃場での作業内容よりも参考にされやすいようにすることができる。
【００９４】
（２−５）収穫量
圃場（作物領域）での収穫量を考慮して作業内容が抽出されてもよい。この場合、作業内容抽出部１０６は、収量が多かった作物領域での作業内容ほど優先度を上げて抽出する。本変形例では、ユーザ（作業者）が収穫終了後に収穫量を作業内容に対応付けて登録する操作をユーザ端末３０に対して行う。ユーザ端末３０が登録内容をサーバ装置１０に送信すると、作業内容記録部１０１は、登録された収穫量を作業内容に対応付けて記録する。
【００９５】
図１５は記録された収穫量の一例を表す。図１５の例では、作業内容記録部１０１は、「ＨＡ０１」という圃場ＩＤの圃場でのトウモロコシの収穫量として「Ｇ１ｔ（Ｇ１トン）」及び「Ｇ２ｔ」等（時期が異なる収穫量）を記録し、「ＨＡ０２」という圃場ＩＤの圃場での稲の収穫量として「Ｇ３ｔ」等を記録している。作業内容抽出部１０６は、作物の種類と収穫量と補正係数とを対応付けた補正テーブルを用いて優先度を判断する。
【００９６】
図１６は補正係数の一例を表す。図１６の例では、「トウモロコシ」という作物の種類では、「Ｇ１１未満」、「Ｇ１１以上Ｇ１２未満」、「Ｇ１２以上」という収穫量に「１．０」、「０．９」、「０．８」という補正係数が対応付けられており、稲等の他の作物についても同様に収穫量と補正係数が対応付けられている。作業内容抽出部１０６は、実施例で述べたように特定した圃場ＩＤ及び特定した生育期間に含まれる作業日時に対応付けられた情報として、作物名称及び収穫量も抽出する。
【００９７】
作業内容抽出部１０６は、抽出した作物名称が表す作物の種類及び収穫量に補正テーブルで対応付けられている補正係数を各類似度の値に乗算する。図１６の例では、収穫量が多いほど小さな補正係数が乗算されて類似度を示す値（差分の平均値）が小さくなるから、成長曲線の類似度（類似する度合い）自体は高くなる。これにより、収穫量が多い圃場での作業内容ほど参考にされやすいようにすることができる。
【００９８】
（２−６）生育の進み具合
作業後の作物の生育の進み具合を考慮して作業内容が抽出されてもよい。この場合、作業内容抽出部１０６は、ユーザによって指定された作物領域の現在の時期に対応する時期からの生育の進み具合が大きい作物領域での作業内容ほど優先度を上げて抽出する。生育の進み具合が大きい作物領域では、作業者は、生育が順調だった状態からさらに生育を促進させたか、又は生育が順調でなかった状態から生育状況を改善させたと考えられる。
【００９９】
図１７は本変形例のＮＤＶＩの時系列変化の一例を表す。図１７では、図９と同様のグラフによってＮＤＶＩの時系列変化が表されている。曲線ＦＡ２１、ＦＡ２２、ＦＡ２３は、圃場Ａ２１、Ａ２２、Ａ２３におけるＮＤＶＩの時系列変化を表している。これらの曲線は、説明を分かりやすくするため、圃場Ａ１の曲線ＦＡ１と５０日目までの時系列変化の類似度が一致しているものとする。
【０１００】
ただし、５０日目以降は、ＮＤＶＩの伸びが曲線ＦＡ２１において最も大きく、ＦＡ２２がその次で、ＦＡ２３において最も小さくなっている。なお、この例では、生育開始から５０日目が指定された作物領域の現在の時期に対応する時期として用いられている。それ以外にも、例えば上述した比較期間を変動させる場合は、例えば１０日目から６０日目又は１日目から６０日目が比較期間であればいずれも６０日目（つまり比較期間の終わりの時期）が対応する時期となる。
【０１０１】
作業内容抽出部１０６は、例えば、所定の期間が経過したときのＮＤＶＩが大きいほど生育の進み具合が大きいと判断する。図１７の例では、１０日間が経過したときの圃場Ａ２１、Ａ２２、Ａ２３におけるＮＤＶＩがそれぞれｎ２１、ｎ２２、ｎ２３（ｎ２１＞ｎ２２＞ｎ２３）となっている。５０日目のＮＤＶＩをいずれもｎ２０とすると、各圃場のＮＤＶＩの伸びは（ｎ２１−ｎ２０）、（ｎ２２−ｎ２０）、（ｎ２３−ｎ２０）で表される。
【０１０２】
作業内容抽出部１０６は、このＮＤＶＩの伸びと補正係数とを対応付けた補正テーブルを用いて優先度を判断する。
図１８は本変形例の補正テーブルの一例を表す。図１８の例では、「Ｎ２１未満」、「Ｎ２１以上Ｎ２２未満」、「Ｎ２２以上」というＮＤＶＩの伸びに「１．０」、「０．９」、「０．８」という補正係数が対応付けられている。
【０１０３】
作業内容抽出部１０６は、グラフ記憶部１０８に記憶されている曲線ＦＡ２１、ＦＡ２２、ＦＡ２３のグラフを参照してＮＤＶＩの伸びを算出し、算出したＮＤＶＩの伸びに補正テーブルで対応付けられている補正係数を各類似度の値に乗算する。これにより、指定された作物領域の現在の時期に対応する時期に行われた作業により生育が大きく進んだ圃場での作業内容ほど参考にされやすいようにすることができる。
【０１０４】
（２−７）ＮＤＶＩの精度
実施例では、ドローン２０が作物領域の上空を飛行して撮影された画像に基づいて、すなわち、ドローン２０に設けられたイメージセンサの測定値に基づいてＮＤＶＩが算出された。こうして算出されるＮＤＶＩは、撮影条件によってその精度が変化する。例えば撮影時のドローン２０の飛行高度が高いほど１画素が表す作物領域が広くなるので、作物以外のもの（地面等）が含まれやすくなり、ＮＤＶＩの精度が低くなる。
【０１０５】
また、日射強度が弱いほど反射光が少なくなりＮＤＶＩの精度が低くなる。例えばＩＲ＝２０、Ｒ＝１０の場合もＩＲ＝２００、Ｒ＝１００の場合も、ＮＤＶＩは１０÷３０又は１００÷３００で０．３３３・・・である。これらのピクセル値に１０ずつ誤差が生じた場合、ＩＲ＝３０、ＩＲ＝２０だとＮＤＶＩ＝１０÷５０＝０．２となり、ＩＲ＝２１０、Ｒ＝１１０だとＮＤＶＩ＝１００÷３２０＝０．３１２・・・となる。
【０１０６】
このように、ＮＤＶＩは、ＩＲ、Ｒのピクセル値が小さい（反射光が少ない）ほど、これらのピクセル値のわずかな誤差がＮＤＶＩの大きな誤差となって現れる。本変形例では、ユーザ（作業者）が、例えば撮影飛行をさせた日の作業内容に対応付けて撮影条件（飛行高度又は天気等）を登録する。作業内容記録部１０１は、登録された撮影条件を作業日時に対応付けて記録する。
【０１０７】
作業内容抽出部１０６は、ＮＤＶＩの精度が高くなる撮影条件で撮影された作物領域での作業内容ほど優先順位を上げて抽出する。作業内容抽出部１０６は、この撮影条件と補正係数とを対応付けた補正テーブルを用いて優先度を判断する。
図１９Ａ及び１９Ｂは本変形例の補正テーブルの一例を表す。図１９Ａの例では、「Ｈ３１未満」、「Ｈ３１以上Ｈ３２未満」、「Ｈ３２以上」という撮影条件（飛行高度）に「０．８」、「０．９」、「１．０」という補正係数が対応付けられている。
【０１０８】
また、図１９Ｂの例では、「４−９月の晴れ」、「１０−３月の晴れ」、「４−９月の曇り／雨」、「１０−３月の曇り／雨」という撮影条件（先の撮影条件ほど日射強度が強い）に「０．７」、「０．８」、「０．９」、「１．０」という補正係数が対応付けられている。作業内容抽出部１０６は、実施例で述べたように特定した圃場ＩＤ及び特定した生育期間に含まれる作業日時に対応付けられた情報として、撮影条件も抽出する。
【０１０９】
作業内容抽出部１０６は、抽出した撮影条件に補正テーブルで対応付けられている補正係数を各類似度の値に乗算する。図１９Ａの補正テーブルを用いる場合、作業内容抽出部１０６は、飛行高度が低いほどＮＤＶＩの精度が高くなると判断する。また、図１９Ｂの補正テーブルを用いる場合、作業内容抽出部１０６は、日射強度が強い天気であるほどＮＤＶＩの精度が高くなると判断する。
【０１１０】
算出されるＮＤＶＩの精度が低いほど、成長曲線が似ていると思われた作物の実際の成長曲線が異なっていたということが起こりやすくなり、作業内容が参考にならないという可能性が高まる。本変形例では、上記のとおりＮＤＶＩの精度が高くなる撮影条件で撮影された作物領域での作業内容ほど優先順位を上げて抽出することで、そのような可能性を低く抑えることができる。
【０１１１】
なお、露出量が適切に設定されていれば、日射強度が多少異なっていても、適切な露光量で撮影がされてＮＤＶＩの精度を高くすることができる。ただし、露出量をユーザが設定して撮影する場合には、露出量が適切でない状態で撮影されることがある。また、撮影装置２７が自動露出機能（被写体の明るさに応じて絞り値と露光時間の組み合わせを自動的に調整する機能）を有していても、その性能によっては例えば日照条件が変化した際に（撮影中に天気が変化したときなど）に適切でない露出量で撮影されることが起こり得る。
【０１１２】
そこで、作業内容抽出部１０６は、撮影条件として撮影時の露出量を用いて、露出量が適正値に近いほどＮＤＶＩの精度が高くなると判断してもよい。ここでいう適正値は、精度の高いＮＤＶＩを算出可能な画像が撮影される際の露出量のことである。ＮＤＶＩは、上述したようにピクセル値が大きいほど精度が高くなるが、ホワイトアウトするほど明るくなるとＩＲとＲの差が小さくなり０に近づいてしまう。
【０１１３】
本変形例では、例えば精度の高いＮＤＶＩを算出可能な画像の全体のピクセル値の平均値を実験により求めておき、作業内容抽出部１０６は、ＮＤＶＩの算出に用いられた画像のピクセル値の平均値とその平均値との差分が小さいほど、露出量が適正値に近いと判断する。これにより、撮影時の日射強度に対して露出量が適切に設定された場合、すなわち、比較された成長曲線と実際の成長曲線が近い圃場における作業内容が抽出されやすいようにして、上記の可能性（抽出された作業内容が参考にならないという可能性）を低く抑えることができる。
【０１１４】
（２−８）気象条件
気象条件が近い圃場での作業ほど参考になりやすい。ここでいう気象条件とは、例えば生育期間中の平均日照時間、平均降水量及び平均気温等の条件である。そこで、各圃場の気象条件に基づいて優先度が判断されてもよい。本変形例では、ユーザ（作業者）が、圃場における前述した気象条件を示す条件情報を登録する。
【０１１５】
作業内容記録部１０１は、登録された条件情報（ユーザによって指定された作業対象の圃場（作物領域）における気象条件を示す情報）を圃場ＩＤに対応付けて記録する。この場合の作業内容記録部１０１は本発明の「条件記録部」の一例である。記録される気象条件は、例えば月毎の条件（平均日照時間等）でもよいし、週毎、日毎、年毎の条件であってもよい。ただし、短い期間の気象条件が分かれば長期間での気象条件も求めることができるので、気象条件の期間の単位は短いほど望ましい。
【０１１６】
作業内容抽出部１０６は、作業内容記録部１０１に記録された条件情報が示す気象条件が指定された圃場（作物領域）の気象条件に近い作物領域での作業内容ほど優先度を上げて抽出する。作業内容抽出部１０６は、例えば月毎の平均日照時間が条件情報として記録されている場合は、指定された圃場及び比較対象の圃場の比較期間における平均日照時間を算出し、それらの差分を算出する。
【０１１７】
作業内容抽出部１０６は、この気象条件の違いを表す値（平均日照時間の差分）と補正係数とを対応付けた補正テーブルを用いて優先度を判断する。
図２０Ａ及び２０Ｂは本変形例の補正テーブルの一例を表す。図２０Ａの例では、「Ｔ４１未満」、「Ｔ４１以上Ｔ４２未満」、「Ｔ４２以上」という平均日照時間の差分に「０．８」、「０．９」、「１．０」という補正係数が対応付けられている。
【０１１８】
作業内容抽出部１０６は、実施例で述べたように特定した圃場ＩＤ及び特定した生育期間に含まれる作業日時に対応付けられた情報として、条件情報も抽出する。作業内容抽出部１０６は、抽出した条件情報が示す気象条件から上記の差分を算出し、算出した差分に補正テーブルで対応付けられている補正係数を各類似度の値に乗算する。これにより、指定された作物領域と気象条件が近い圃場での作業内容ほど参考にされやすいようにすることができる。
【０１１９】
なお、条件情報は、気象条件を直接示す情報に限らない。例えば圃場の位置情報が条件情報として記録されてもよい。圃場の位置情報が示す位置が近ければ、気象条件も近いと言えるからである。この場合、作業内容抽出部１０６は、図２０Ｂに表すようにこの気象条件の違いを表す値（圃場間の距離）と補正係数とを対応付けた補正テーブルを用いて優先度を判断する。
【０１２０】
図２０Ｂの例では、「Ｄ５１未満」、「Ｄ５１以上Ｄ５２未満」、「Ｄ５２以上」という圃場間の距離に「０．８」、「０．９」、「１．０」という補正係数が対応付けられている。この場合、作業内容抽出部１０６は、抽出した条件情報が示す位置情報から上記の距離を算出し、算出した距離に補正テーブルで対応付けられている補正係数を各類似度の値に乗算する。これにより、指定された作物領域と気象条件が近い圃場での作業内容ほど参考にされやすいようにすることができる。
【０１２１】
（２−９）作業者同士の関係
作業者同士が身近な関係（友人、同じ農協の関係者及び近所等）にある場合、無関係な相手に比べると作業内容について直接問い合わせることが行いやすい。そこで、作業者同士の関係に基づいて優先度が判断されてもよい。本変形例では、ユーザ（作業者）が、作業者同士の関係を表す関係情報を予め登録しておく。
【０１２２】
登録する関係情報は、例えば、作業者自身（作業内容記録部１０１に記録されている作物領域への作業を行う作業者）の住所、所属する農協及び連絡可能な（連絡先を知っている）同業者等を表す情報である。作業内容記録部１０１は、登録された関係情報を圃場ＩＤに対応付けて記録する。この場合の作業内容記録部１０１は本発明の「関係記録部」の一例である。各作業者がこの関係情報を登録することで、それらの関係情報は、各圃場（作物領域）への作業を行う作業者と指定された作物領域への作業を行う作業者との関係を表す情報となる。
【０１２３】
作業内容抽出部１０６は、所定の関係を表す関係情報が作業内容記録部１０１に記録されている作業者を所定の関係を表す関係情報が記録されていない作業者よりも作業内容の優先度を高くして抽出する。所定の関係とは、住所同士の距離が閾値未満の関係、所属する農協が同じという関係又は連絡可能な同業者である関係等である。作業内容抽出部１０６は、指定された圃場及び比較対象の圃場の圃場ＩＤにそれぞれ対応付けられている関係情報を読み出して作業者の関係が所定の関係であるか否かを判断する。
【０１２４】
作業内容抽出部１０６は、作業者同士の関係と補正係数とを対応付けた補正テーブルを用いて優先度を判断する。
図２１は本変形例の補正テーブルの一例を表す。図２１の例では、「連絡可能」、「近所、同じ農協」、「無関係」という作業者同士の関係に「０．８」、「０．９」、「１．０」という補正係数が対応付けられている。
【０１２５】
作業内容抽出部１０６は、前述したとおり判断した作業者同士の関係に補正テーブルで対応付けられている補正係数を各類似度の値に乗算する。「連絡可能」な作業者には連絡を取って作業内容を問い合わせることができるし、「近所、同じ農協」の作業者も、普段から会う機会があったり連絡先を誰かに聞くことができたりする可能性が高い。このように、本変形例によれば、作業内容について直接問い合わせることが行いやすい作業者の作業内容ほど参考にされやすいようにすることができる。
【０１２６】
（２−１０）作業者への通知方法１
作業内容抽出部１０６は、実施例では、抽出した作業内容をそのまま通知した。この作業内容は作業者が登録した作業内容であり、内容によっては個人を特定することに繋がる可能性がある情報（いわゆる個人情報となる可能性がある情報）である。そこで、個人が特定されないように通知が行われてもよい。
【０１２７】
本変形例では、作業内容抽出部１０６は、抽出した作業内容に含まれる作業用の数値から代表値を算出し、その代表値により表される作業内容を、作物領域を指定したユーザ（作業者）に通知する。本変形例の作業内容抽出部１０６は本発明の「第１通知部」の一例である。作業用の数値とは、例えば散布する肥料の量、農薬の量及び散水する時間の長さ等である。作業内容抽出部１０６は、まず、抽出した作業内容のうち所定の期間において最も多く行われている作業項目を特定する。
【０１２８】
作業内容抽出部１０６は、特定した作業項目の作業詳細に含まれる作業用の数値の平均値、中央値又は最頻値等を代表値として算出する。また、作業内容抽出部１０６は、特定した作業項目の機器情報に含まれる作業用機器のうち最も多く用いられている作業用機器を特定する。作業内容抽出部１０６は、算出した代表値及び特定した作業用機器を作業内容として表す応答データを生成し、ユーザ端末３０に送信する。
【０１２９】
図２２は本変形例で表示された作業内容の一例を表す。図２２の例では、「以下は代表的な作業内容です。」という文字列と、「４０〜５０日目」に「農薬α散布」を「△△リットル／１０ａ」の量で「噴霧器」を用いて行われた事と、「５０〜６０日目」に「農薬β散布」を「○○リットル／１０ａ」の量で「ドローン」を用いて行われた事とが表示されている。これらの情報が通知されることで、個人情報が知られるおそれがなく過去に行われた作業内容を参考にすることができる。
【０１３０】
（２−１１）作業者への通知方法２
上記変形例では、代表値等を通知することで個人情報が知られるおそれをなくしたが、作業内容からは必ずしも個人が特定されるとは限らないし、ユーザ同士であれば個人が特定されても気にしないユーザもいることが考えられる。そこで、作業内容を通知してよいことが確認された場合にのみ通知するようにしてもよい。
【０１３１】
本変形例では、ユーザ（作業者）が、作業内容を入力する際に、その作業内容の通知の可否を合わせて入力する。入力受付部３０１は、入力された通知の可否を示す情報（可否情報）を含む入力データをサーバ装置１０に送信する。作業内容記録部１０１は、入力データに含まれる可否情報、すなわち作業者が定めた作業内容の通知の可否を示す情報を取得して記録する。この場合の作業内容記録部１０１は本発明の「可否取得部」の一例である。
【０１３２】
本変形例では、作業内容抽出部１０６は、抽出した作業内容のうち通知可能であることを示す可否情報が作業内容記録部１０１により取得された作業内容を、作物領域を指定したユーザ（作業者）に通知する。本変形例の作業内容抽出部１０６は本発明の「第２通知部」の一例である。また、作業内容抽出部１０６は、通知不可であることを示す可否情報が作業内容記録部１０１により取得された作業内容については作業者に通知しない。
【０１３３】
これにより、個人情報を知られることを嫌がる作業者の作業内容が他の作業者に知られることなく、過去に行われた作業内容を参考にすることができる。なお、作業内容抽出部１０６は、通知不可であることを示す可否情報が取得された作業内容について、全く通知しないのではなく、例えばそれらの作業内容が２以上ある場合には、それらについて例えば上記変形例のように代表値を算出し、最も多い作業内容、作業用機器を特定して、それらにより表される作業内容を通知してもよい。これにより、個人情報を知られることを嫌がる作業者の作業内容も多少の参考にすることができる。
【０１３４】
（２−１２）作物領域の指定
実施例では、ユーザ（作業者）が圃場（作物領域）を指定したが、これに限らない。例えば、サーバ装置１０が登録されている各ユーザの圃場を定期的に指定して、作業内容の抽出を行ってもよい。その場合、ユーザは、自分の圃場を指定することで、既に抽出された作業内容を閲覧することができる。
【０１３５】
（２−１３）区分領域
指標マップ生成部１０４は、実施例では撮影範囲に対応する領域を区分領域として領域単位のＮＤＶＩマップを生成したが、区分領域はこれに限らない。例えば複数の撮影範囲を１つの区分領域としてもよいし、１つの撮影領域を複数に分割した分割領域に対応する領域を区分領域としてもよい。また、各区分領域の形及び大きさが統一されていてもよいし揃っていなくてもよい。
【０１３６】
（２−１４）類似度
実施例では類似度が数値で表されたが、これに限らず、数値以外の情報で表されてもよい。例えば「高」、「中」、「低」又は「Ａ」、「Ｂ」、「Ｃ」等の文字で表されてもよいし、符号及び記号等で表されてもよい。例えば「高」、「中」、「低」で表される場合、作業内容抽出部１０６は、類似度が「中」以上となる作物領域を類似度が所定レベル以上となる作物領域として特定すればよい。このように、類似度の高さの違いが比較可能に表され、類似度が所定レベル以上であるか否かを判断できるのであれば、どのような情報により類似度が表されてもよい。
【０１３７】
（２−１５）飛行体
実施例では、自律飛行を行う飛行体として回転翼機型の飛行体が用いられたが、これに限らない。例えば飛行機型の飛行体であってもよいし、ヘリコプター型の飛行体であってもよい。また、自律飛行の機能も必須ではなく、割り当てられた飛行空域を割り当てられた飛行許可期間に飛行することができるのであれば、例えば遠隔から操縦者によって操作されるラジオコントロール型（無線操縦型）の飛行体が用いられてもよい。
【０１３８】
（２−１６）指標算出の元情報
実施例では、ドローン２０が飛行中に撮影した画像に基づいてＮＤＶＩが算出されたが、これに限らない。例えば作業者がデジカメを用いて手作業で撮影した画像又は圃場に設置された固定のデジカメが撮影した画像に基づいてＮＤＶＩが算出されてもよい。また、衛星から撮影された画像に基づいてＮＤＶＩが算出されてもよい。
【０１３９】
また、実施例では撮影装置２７のイメージセンサ２７２の測定値を用いてＮＤＶＩが算出されたが、これに限らず、例えばハンディタイプのＮＤＶＩ測定器の赤外線センサ等の測定値を用いてＮＤＶＩが算出されてもよい。ＮＤＶＩの算出は、圃場（作物領域）の全体について行われることが望ましいが、一部について行われるだけでも、その圃場における作物の生育状況の傾向は現れるので、その圃場で行われた作業内容を参考にすることができる。
【０１４０】
（２−１７）生育状況を表す指標
実施例では、生育状況を表す指標としてＮＤＶＩが用いられたが、これに限らない。例えば、葉色値（葉の色を示す値）、植被率（植被領域の単位面積あたりの占有率）、ＳＰＡＤ（葉緑素含量）、草丈又は茎数等が用いられてもよい。要するに、作物の生育状況を表しており、且つ、撮影された作物領域の画像から算出可能な値であれば、どのような値が生育状況を表す指標として用いられてもよい。
【０１４１】
（２−１８）各部を実現する装置
図４等に表す各機能を実現する装置がそれらの図とは異なっていてもよい。例えばサーバ装置が備える全ての機能又は一部の機能をドローンが備えていてもよい。その場合はドローンのプロセッサが本発明の「情報処理装置」の一例となる。また、サーバ装置の機能をユーザ端末が実現してもよい。その場合はユーザ端末が本発明の「情報処理装置」の一例となる。
【０１４２】
また、各機能が行う動作を他の機能が行ってもよいし、新たな機能に行わせてもよい。例えば指標算出部１０３が行う動作（指標の算出動作）を指標マップ生成部１０４が行ってもよい。また、作業内容抽出部１０６が行う作業内容の通知を新たに設けた通知部が行ってもよい。また、サーバ装置が備える各機能を２以上の装置がそれぞれ実現してもよい。要するに、農業支援システム全体としてこれらの機能が実現されていれば、農業支援システムが何台の装置を備えていてもよい。
【０１４３】
（２−１９）発明のカテゴリ
本発明は、上述したサーバ装置及びユーザ端末のような情報処理装置と、ドローンのような飛行体（ドローンは情報処理装置を兼ねる場合もある）の他、それらの装置及び飛行体を備える農業支援システムのような情報処理システムとしても捉えられる。また、本発明は、各装置が実施する処理を実現するための情報処理方法としても捉えられるし、各装置を制御するコンピュータを機能させるためのプログラムとしても捉えられる。このプログラムは、それを記憶させた光ディスク等の記録媒体の形態で提供されてもよいし、インターネット等のネットワークを介してコンピュータにダウンロードさせ、それをインストールして利用可能にするなどの形態で提供されてもよい。
【０１４４】
（２−２０）処理手順等
本明細書で説明した各実施例の処理手順、シーケンス、フローチャートなどは、矛盾がない限り、順序を入れ替えてもよい。例えば、本明細書で説明した方法については、例示的な順序で様々なステップの要素を提示しており、提示した特定の順序に限定されない。
【０１４５】
（２−２１）入出力された情報等の扱い
入出力された情報等は特定の場所(例えばメモリ)に保存されてもよいし、管理テーブルで管理してもよい。入出力される情報等は、上書き、更新、又は追記され得る。出力された情報等は削除されてもよい。入力された情報等は他の装置へ送信されてもよい。
【０１４６】
（２−２２）ソフトウェア
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１４７】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１４８】
（２−２３）情報、信号
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１４９】
（２−２４）システム、ネットワーク
本明細書で使用する「システム」及び「ネットワーク」という用語は、互換的に使用される。
【０１５０】
（２−２５）「に基づいて」の意味
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１５１】
（２−２６）「及び」、「又は」
本明細書において、「Ａ及びＢ」でも「Ａ又はＢ」でも実施可能な構成については、一方の表現で記載された構成を、他方の表現で記載された構成として用いてもよい。例えば「Ａ及びＢ」と記載されている場合、他の記載との不整合が生じず実施可能であれば、「Ａ又はＢ」として用いてもよい。
【０１５２】
（２−２７）態様のバリエーション等
本明細書で説明した各実施例は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１５３】
以上、本発明について詳細に説明したが、当業者にとっては、本発明が本明細書中に説明した実施例に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１５４】
１…農業支援システム、１０…サーバ装置、２０…ドローン、３０…ユーザ端末、１０１…作業内容記録部、１０２…作物画像取得部、１０３…指標算出部、１０４…指標マップ生成部、１０５…生育情報記録部、１０６…作業内容抽出部、１０７…類似度算出部、１０８…グラフ記憶部、２０１…飛行制御部、２０２…飛行部、２０３…センサ測定部、２０４…撮影部。
【図１】
2019208538.tif 000003
【図２】
2019208538.tif 000004
【図３】
2019208538.tif 000005
【図４】
2019208538.tif 000006
【図５】
2019208538.tif 000007
【図６】
2019208538.tif 000008
【図７】
2019208538.tif 000009
【図８】
2019208538.tif 000010
【図９】
2019208538.tif 000011
【図１０】
2019208538.tif 000012
【図１１】
2019208538.tif 000013
【図１２】
2019208538.tif 000014
【図１３】
2019208538.tif 000015
【図１４Ａ】
2019208538.tif 000016
【図１４Ｂ】
2019208538.tif 000017
【図１４Ｃ】
2019208538.tif 000018
【図１４Ｄ】
2019208538.tif 000019
【図１５】
2019208538.tif 000020
【図１６】
2019208538.tif 000021
【図１７】
2019208538.tif 000022
【図１８】
2019208538.tif 000023
【図１９Ａ】
2019208538.tif 000024
【図１９Ｂ】
2019208538.tif 000025
【図２０Ａ】
2019208538.tif 000026
【図２０Ｂ】
2019208538.tif 000027
【図２１】
2019208538.tif 000028
【図２２】
2019208538.tif 000029
【国際調査報告】
2019208538.tif 000030
2019208538.tif 000031
2019208538.tif 000032
2019208538.tif 000033